(57)【要約】【課題】  露光間ズーム撮影において、撮影して得られた画像データと差異の無い付属情報を記録すること。【解決手段】  ズームレンズ（１０１）を含む光学系を介して入射する光に応じた画像信号を出力する撮像手段を有する撮像装置において、ズームレンズを駆動しながら、撮像手段を露光して撮影を行い（Ｓ１０４〜Ｓ１１０）、撮影中のズームレンズの駆動が開始された後、予め設定されたタイミングの撮影に関する付属情報を記憶し（Ｓ１０６）、撮像手段の露光終了後に、撮像手段から出力された画像信号と、記憶された付属情報とを関連付けて記録する（Ｓ１１２）。【選択図】  図３
2010171894.tif 000002
【特許請求の範囲】
【請求項１】
ズームレンズを含む光学系を介して入射する光に応じた画像信号を出力する撮像手段と、
前記撮像手段の露光を制御する露光制御手段と、
前記ズームレンズを駆動しながら、前記露光制御手段により前記撮像手段を露光するように制御する露光間ズーム撮影手段と、
前記露光間ズーム撮影手段による前記ズームレンズの駆動が開始された後、予め設定されたタイミングの撮影に関する付属情報を記憶する記憶手段と、
前記撮像手段の露光終了後に、前記撮像手段から出力された画像信号と、前記記憶手段に記憶された付属情報とを関連付けて記録する記録手段と
を有することを特徴とする撮像装置。
【請求項２】
前記付属情報は、露出情報と焦点距離情報とを含むことを特徴とする請求項１に記載の撮像装置。
【請求項３】
前記予め設定されたタイミングは、前記撮像手段の露光開始時であることを特徴とする請求項１に記載の撮像装置。
【請求項４】
前記予め設定されたタイミングは、前記撮像手段の露光終了時であることを特徴とする請求項１に記載の撮像装置。
【請求項５】
前記予め設定されたタイミングは、前記撮像手段の露光中、主被写体に最もピントが合うタイミングであることを特徴とする請求項１に記載の撮像装置。
【請求項６】
前記予め設定されたタイミングは、前記撮像手段の露光中、撮影画角における主被写体の領域が予め設定された大きさの範囲となるタイミングであることを特徴とする、請求項１に記載の撮像装置。
【請求項７】
前記予め設定されたタイミングは、複数回あることを特徴とする請求項１に記載の撮像装置。
【請求項８】
前記ズームレンズの駆動開始位置を記憶するズーム開始位置記憶手段と、
前記ズームレンズの駆動開始から前記撮像手段の露光開始までの時間を記憶する露光開始時間記憶手段とを更に有し、
前記露光間ズーム撮影手段は、前記ズーム開始位置記憶手段に記憶されたズーム開始位置から前記ズームレンズの駆動を開始させ、前記露光制御手段は、前記ズームレンズの駆動開始から前記露光開始時間記憶手段によって記憶された露光開始時間が経過した後に、前記撮像手段の露光を開始させることを特徴とする請求項１乃至７のいずれか１項に記載の撮像装置。
【請求項９】
ズームレンズを含む光学系を介して入射する光に応じた画像信号を出力する撮像手段を有する撮像装置の制御方法であって、
前記ズームレンズを駆動しながら、前記撮像手段を露光して撮影を行う撮影工程と、
前記撮影工程での前記ズームレンズの駆動が開始された後、予め設定されたタイミングの撮影に関する付属情報を記憶する記憶工程と、
前記撮像手段の露光終了後に、前記撮像手段から出力された画像信号と、前記記憶された付属情報とを関連付けて記録する記録工程と
を有することを特徴とする撮像装置の制御方法。
【請求項１０】
コンピュータに、請求項９に記載の制御方法の各工程を実行させるためのプログラム。
【請求項１１】
請求項１０に記載のプログラムを格納したことを特徴とするコンピュータが読み取り可能な記憶媒体。
【発明の詳細な説明】
【技術分野】
【０００１】
本発明は、撮像装置及びその制御方法に関し、更に詳しくは、露光中にズーム駆動可能な変倍機構を持つ撮像装置及びその制御方法に関する。
【背景技術】
【０００２】
露光間ズーム撮影は、画像周辺を放射状に流れたような特殊効果を得るための撮影技法として従来から広く知られている。しかしながら、露光中にズーム操作を行うのは非常に高度な技術が必要であり、熟練を必要とする。
【０００３】
このような背景から、特許文献１に挙げられるように電動でズームを動かし、露光タイミングと同期させる技術がある。
【０００４】
一方、従来から、画像ファイルに画像データ以外の様々な情報を付属情報として記録し、記録した付属情報を画像データの処理に際して広く利用している。例えばＥｘｉｆ（Ｅｘｃｈａｎｇａｂｌｅ  Ｉｍａｇｅ  Ｆｏｒｍａｔ）に準拠した画像ファイルには、撮影機種や撮影日時、サムネイル情報等、様々な情報の記録が可能であり、特許文献２にはその記録方法と利用方法に関する技術が開示されている。
【０００５】
【特許文献１】特公平０７−２３９４９号公報
【特許文献２】特開２００７−２２１７２３号公報
【発明の開示】
【発明が解決しようとする課題】
【０００６】
従来は、焦点距離やＦナンバー等の鏡筒に関する情報をＥｘｉｆ情報として記録する場合、撮影準備時の焦点調節制御及び露出制御で決定した焦点距離やＦナンバーをＥｘｉｆ情報として記録していた。しかしながら、露光間ズーム撮影では、露光中のズーム駆動により焦点距離やＦナンバーが変動するため、実際に撮影された画像と記録されたＥｘｉｆ情報に差異が生じてしまい、好ましくないという問題があった。
【０００７】
本発明は上記問題点を鑑みてなされたものであり、露光間ズーム撮影において、撮影して得られた画像データと差異の無い付属情報を記録することを目的とする。
【課題を解決するための手段】
【０００８】
上記目的を達成するために、本発明の撮像装置は、ズームレンズを含む光学系を介して入射する光に応じた画像信号を出力する撮像手段と、前記撮像手段の露光を制御する露光制御手段と、前記ズームレンズを駆動しながら、前記露光制御手段により前記撮像手段を露光するように制御する露光間ズーム撮影手段と、前記露光間ズーム撮影手段による前記ズームレンズの駆動が開始された後、予め設定されたタイミングの撮影に関する付属情報を記憶する記憶手段と、前記撮像手段の露光終了後に、前記撮像手段から出力された画像信号と、前記記憶手段に記憶された付属情報とを関連付けて記録する記録手段とを有する。
【０００９】
また、ズームレンズを含む光学系を介して入射する光に応じた画像信号を出力する撮像手段を有する撮像装置の本発明の制御方法は、前記ズームレンズを駆動しながら、前記撮像手段を露光して撮影を行う撮影工程と、前記撮影工程での前記ズームレンズの駆動が開始された後、予め設定されたタイミングの撮影に関する付属情報を記憶する記憶工程と、前記撮像手段の露光終了後に、前記撮像手段から出力された画像信号と、前記記憶された付属情報とを関連付けて記録する記録工程とを有する。
【発明の効果】
【００１０】
本発明によれば、露光間ズーム撮影において、撮影して得られた画像データと差異の無い付属情報を記録することが可能になる。
【発明を実施するための最良の形態】
【００１１】
以下、添付図面を参照して本発明を実施するための最良の形態を詳細に説明する。
【００１２】
図１は本実施の形態の一例である撮像装置の概略構成を示すブロック図である。
【００１３】
１０１は第１レンズ群であり、光軸方向に位置を変更することが可能な倍率変更を行うズームレンズである（以下、「ズームレンズ」と呼ぶ。）。１０９はズーム駆動制御部であり、ズームレンズ１０１を駆動制御する。
【００１４】
１０２はシャッタ・絞りユニット、１１０はシャッタ・絞り駆動制御部であり、シャッタ・絞りユニット１０２を駆動制御する。
【００１５】
１０３は第２レンズ群であり、光軸に対して略垂直な平面での位置を変更することが可能な、振れ補正光学系としてのシフトレンズである（以下、「シフトレンズ」と呼ぶ。）。１１１はシフトレンズ駆動制御部であり、シフトレンズ１０３を駆動制御する。
【００１６】
１０４は第３レンズ群であり、光軸方向に位置を変更することが可能なピント調整を行うフォーカスレンズである（以下、「フォーカスレンズ」と呼ぶ。）。１１２はフォーカス駆動制御部であり、フォーカスレンズ１０４を駆動制御する。
【００１７】
１０５は撮像素子であり、各レンズ群及びシャッタ・絞りユニット１０２を通過して入射した光像を電気信号に変換する。１０６は撮像信号処理部であり、撮像素子１０５から出力された電気信号を画像信号に変換処理する。１０７は画像処理部であり、撮像信号処理部１０６から出力された画像信号を用途に応じて加工し、加工した画像データを出力する。１０８は表示部であり、画像処理部１０７から出力された画像データに基づいて、必要に応じて画像表示を行う。
【００１８】
１１３はシステム全体を制御するシステム制御部、１１４はシステムを操作するための操作部である。操作部１１４は、押し込み量に応じて第１スイッチ（以下、「ＳＷ１」と呼ぶ。）及び第２スイッチ（以下、「ＳＷ２」と呼ぶ。）が順にオンするように構成されたシャッタレリーズボタンを有している。シャッタレリーズボタンを約半分押し込んだときにＳＷ１がオンし、シャッタレリーズボタンを最後まで押し込んだときにＳＷ２がオンする構造となっている。
【００１９】
１１５は外部入出力端子部であり、外部との間で通信信号及び画像データを入出力する。１１６は記憶部であり、画像情報など様々なデータを記憶する。１１７は記録部であり、画像データや付属情報等を記録媒体に記録する。１１８は電源部であり、撮像装置全体に用途に応じて電源を供給する。
【００２０】
次に、上記構成を有する撮像装置の、一般的な撮影時の概略動作について説明する。
【００２１】
操作部１１４のシャッタレリーズボタンの押下によりＳＷ１がオンされると、システム制御部１１３（露光制御手段）は、自動焦点調節機能（ＡＦ）に基づきフォーカス駆動制御部１１２にフォーカスレンズ１０４を駆動させて、ピント調整を行う。更に、自動露出調節機能（ＡＥ）に基づきシャッタ・絞り駆動制御部１１０にシャッタ・絞りユニット１０２を駆動させて適正な露光量に設定する。
【００２２】
さらにＳＷ２がオンされると、システム制御部１１３は、撮像素子１０５に結像された光像から得られた電気信号を撮像信号処理部１０６で画像信号に変換する。変換された画像信号を画像処理部１０７により更に画像処理した後に、記憶部１１６に記憶すると共に、記録部１１７で画像データを記録媒体に記録する。この際、システム制御部１１３は、焦点距離やＦナンバーを含む鏡筒情報や撮影情報等をＥｘｉｆ形式で付属情報として、画像データに関連付けて記録する。
【００２３】
また、操作部１１４からズームの変倍指示があると、システム制御部１１３は、ズーム駆動制御部１０９によりズームレンズ１０１を駆動して、指示されたズーム位置にズームレンズ１０１を移動する。それと共に、システム制御部１１３は、撮像素子１０５から出力され、撮像信号処理部１０６及び画像処理部１０７により処理された画像データに基づいて、フォーカス駆動制御部１１２によりフォーカスレンズ１０４を駆動してピント調整を行う。
【００２４】
また、システム制御部１１３は、シフトレンズ駆動制御部１１１によりシフトレンズ１０３を駆動して振れ補正動作を行う。
【００２５】
なお、操作部１１４が一定時間操作されなかった場合には、システム制御部１１３は、省電力のために表示部１０８の電源を遮断する。
【００２６】
図２は、図１に示すズーム駆動制御部１０９とフォーカス駆動制御部１１２の詳細な構成を示すブロック図である。
【００２７】
２０１はＤＣモータ等で構成されるズームモータであり、ズームレンズ１０１を光軸方向に移動することでズーム動作を行う。２０２はズームモータ駆動回路であり、ズームモータ２０１を駆動するアナログ回路である。２０３はズームリセット位置検出部であり、ズームレンズ１０１のリセット位置を検出する。
【００２８】
２０４はエンコーダであり、ズームレンズ１０１の位置をパルス情報に変換する。２０５はズーム位置検出部であり、エンコーダ２０４から得られるパルス情報により、ズームレンズ１０１の絶対位置を検出する。２０６はズーム速度検出部であり、エンコーダ２０４から得られるパルス情報により、ズームレンズ１０１の移動速度を検出する。
【００２９】
２０７はズーム制御部であり、ズーム位置検出部２０５およびズーム速度検出部２０６の検出結果に応じてズーム駆動量を制御し、そのズーム駆動量に基づいてズームモータ駆動回路２０２を介してズームモータ２０１を駆動し、ズームレンズ１０１を移動する。また、ズームリセット位置検出部２０３の検出結果に応じてズームレンズ１０１の基準位置を判定する。
【００３０】
２０８は露光間ズーム制御部であり、ズーム制御部２０７およびシャッタ・絞り駆動制御部１１０と連携して、露光中のズーム駆動制御を行う。２０９はズーム開始位置記憶部であり、露光間ズーム制御部２０８の一部であって、露光間ズーム撮影時のズーム開始位置を記憶する。
【００３１】
２１０はステッピングモータ等で構成されるフォーカスモータであり、フォーカスレンズ１０４を光軸方向に移動することで焦点調節制御を行う。２１１はフォーカスモータ駆動回路であり、フォーカスモータ２１０を駆動するアナログ回路である。２１２はフォーカスリセット位置検出部であり、フォーカスレンズ１０４のリセット位置を検出する。
【００３２】
２１３はフォーカス制御部であり、フォーカス駆動量の制御を行う。２１４は合焦位置検出部であり、フォーカスレンズ１０４を移動しながら撮像素子１０５から得られた画像から被写体の合焦位置を検出する。
【００３３】
２１５は露光開始時間記憶部であり、システム制御部１１３の一部であって、露光間ズーム撮影時のズーム開始から露光開始までの時間を記憶する。
【００３４】
次に、図３から図６を用いて、露光間ズーム撮影処理について説明する。
【００３５】
図３は、本実施の形態による露光間ズーム撮影処理の手順を説明するフローチャート、図４は露光間ズーム撮影における撮影時のタイミングを示す図である。露光間ズーム撮影は、露光中に焦点距離を連続的に変化させることで、画像中心から周辺部にかけて放射状に流れた特殊効果を得るための撮影モードである。
【００３６】
露光間ズーム撮影を開始すると、システム制御部１１３は、ズーム開始位置記憶部２０９に記憶されている所定のズーム開始位置へズームレンズ１０１を移動する（ステップＳ１００）。次に、シャッタレリーズボタンが押下されてＳＷ１がオンされると（ステップＳ１０１でＹＥＳ）、システム制御部１１３は撮影準備処理を行う（ステップＳ１０２）。撮影準備処理では、システム制御部１１３はＡＦ処理にて被写体にピントが合う位置にフォーカスレンズ１０４を移動すると共に、ＡＥ処理にて適正露出となるように露光量を決定する。露光量は、絞り値とシャッタスピード（露光時間）で決まるが、露光間ズーム撮影ではズームレンズ１０１の駆動中に露光するため、シャッタスピードを遅めに設定するように考慮され、露光時間がなるべく長くなり、且つ適正露出となるような絞り値が決定される。ここで、鏡筒情報の内、露光時間及び絞り値を含む露出情報が、この撮影準備処理で決定されたものに更新される（図４の３００）。
【００３７】
続いて、シャッタレリーズボタンが操作されてＳＷ２がオンされると（ステップＳ１０３でＹＥＳ）、システム制御部１１３は、ズームレンズ１０１の駆動を開始する（ステップＳ１０４）。ズームレンズ１０１は露光間ズームの画像効果が適正に得られる位置まで駆動され続ける。次に、ズームレンズ１０１の駆動開始から露光開始時間記憶部２１５に記憶されている露光開始時間が経過すると（ステップＳ１０５でＹＥＳ）、ステップＳ１０６に進む。ステップＳ１０６において、システム制御部１１３は、鏡筒情報の内、ズームレンズ１０１の現在位置に応じてＦナンバー、レンズの最小絞り値、焦点距離（焦点距離情報）等を更新した後（図４の３０１）、ステップＳ１０７で露光を開始する。
【００３８】
続いて、システム制御部１１３は、ステップＳ１０２の撮影準備処理で決定された露光時間となるようにシャッタ・絞りユニット１０２を駆動して撮像素子１０５を遮光し（ステップＳ１０８）、電荷の蓄積を終了して露光を終了する（ステップＳ１０９）。露光が終了すると、システム制御部１１３は、ズームレンズ１０１を停止し（ステップＳ１１０）、撮像素子１０５に蓄積された電荷を読み出してＡ／Ｄ変換した後、各種の画像処理を行って画像データを生成する画像処理を行う（ステップＳ１１１）。
【００３９】
次に、システム制御部１１３は、画像データを符号化して記録媒体に記録する。本実施の形態において、画像データはＥｘｉｆに準拠したファイル形式で記録するものとする。ここで、システム制御部１１３は、撮影日時やカメラのＭｏｄｅｌＩＤ、鏡筒情報等の付属情報をＥｘｉｆで定められるタグに含めて記録する（ステップＳ１１２）。
【００４０】
ここで図５に、Ｅｘｉｆの鏡筒情報に関するタグの構造を示す。図５に示すように、本実施の形態における鏡筒情報に関するタグは、Ｆナンバー、シャッタースピード、絞り値等の露出情報、レンズの最小絞り値等のレンズ情報、焦点距離情報等から成っている。露光間ズーム撮影においては、露光開始時に更新された鏡筒情報がＥｘｉｆの鏡筒情報タグに記録されることとなる。この結果、露光間ズーム撮影時においても、記録された画像データと差異の無い付属情報をＥｘｉｆの鏡筒情報タグとして記録することが可能となる。
【００４１】
以上で露光間ズーム撮影の一連の撮影シーケンスが完了する。引き続き露光間ズーム撮影を行う場合は（ステップＳ１１３でＮＯ）、ステップＳ１００に戻って所定のズーム開始位置へズームレンズ１０１を移動し、次の撮影指示を待つ。
【００４２】
露光間ズーム撮影を終える場合は（ステップＳ１１３でＹＥＳ）、処理を終了する。
【００４３】
上記処理により、露光間ズーム撮影時においても、記録された画像データと差異の無い付属情報をＥｘｉｆの鏡筒情報タグとして記録することが可能となる。
【００４４】
なお、上記説明では、撮像素子１０５の露光開始時に更新された、Ｆナンバー、レンズの最小絞り値、焦点距離等の鏡筒情報を記録する場合について説明したが、本発明の鏡筒情報の更新タイミングは露光開始時に限られるものではない。撮像素子１０５の露光開始から露光終了までの間に行えばよく、例えば、露光終了時、露光中に主被写体に最もピントが合った時、撮影画角において主被写体の領域が予め設定された大きさの範囲となった時などであっても構わない。
【００４５】
また、鏡筒情報を記憶するタイミングは１回でなくても良く、撮像素子１０５の露光開始から露光終了までの間に複数回、鏡筒情報を記憶し、得られた複数回分の鏡筒情報を記録するようにしてもよい。
【００４６】
次に、上述した露光間ズーム撮影において、ズームレンズ１０１の駆動開始及び駆動終了と、撮像素子１０５の露光開始及び露光終了のタイミングを異ならせる理由について、図６を参照して説明する。
【００４７】
図６の上図において、縦軸はズームレンズ１０１の繰り出し量を示し、横軸は（１）をＷｉｄｅ端とし、順に（２）、（３）、（４）と続いて（１１）のＴｅｌｅ端まで連続的に焦点距離が長くなるようなズームレンズ１０１の位置を示すものである。多くの鏡筒では、図６に示すようにズームレンズ１０１の繰り出し量がズーム途中の位置で一旦短くなる。（４）のズーム位置が最もレンズの繰り出し量が少なくなる位置であり、以後ズーム変曲点と呼ぶ。
【００４８】
ズーム変曲点（４）付近ではメカ負荷の増大による鏡筒のガタやレンズの偏芯が発生しやすく、また画角変化が局所的に小さくなってしまうなどの撮影画像への影響が懸念されるため、露光中にズーム変曲点（４）を含めたズーム駆動を行うことは望ましくない。
【００４９】
また、露光間ズーム撮影では露光終了時にシャッタ（シャッタ・絞りユニット１０２）を動かす必要があるため、ズームレンズ１０１の突入電流とシャッタ駆動が重なった場合の電源電圧降下の影響で撮像装置に必要な下限電圧を下回ってしまうという問題もある。そのため、露光間ズーム撮影では、ズーム駆動の突入電流とシャッタ駆動の突入電流が重ならないように制御する必要がある。
【００５０】
露光間ズーム撮影が開始されると、ズーム駆動を開始し、ズーム駆動の開始後からの露光開始時間（ズームレンズ１０１の突入電流時間Ｉ）だけ待ってから露光を開始する。露光時間IIがステップＳ１０２で決定された露光時間となるようにシャッタ・絞りユニット１０２に通電を行い（シャッタ通電時間IV）、露光を終了する。露光終了後、撮像素子１０５から電荷の読み出しなどの後処理を行い（露光終了後処理時間III）ズームレンズ１０１の駆動を停止する。これにより露光時間が短い場合であってもズーム駆動の突入電流とシャッタ駆動の突入電流が重なることなく、電源の電圧降下の影響を最小限に抑えることが可能となる。さらに、全露光期間でズームレンズ１０１を駆動することが可能となるため、露光時間が短い場合であっても露光間ズーム効果が得られやすい。
【００５１】
また、ズーム変曲点（４）を避けるために、ズーム開始位置記憶部２０９に記憶するズーム開始位置（駆動開始位置）を次のように決定した位置とする。即ち、ズーム変曲点（４）に対してズーム駆動方向とは逆方向に、ズームレンズ１０１の突入電流時間の間にズームレンズ１０１が駆動する距離より短い距離だけ離れた位置とする。このとき、露光開始時間記憶部２１５に記憶する露光開始時間をズーム駆動の突入電流時間とすると、露光が開始されるズーム位置はズーム変曲点（４）を通過しているため、ズーム変曲点付近でのメカ要因による画質への影響を避けることが可能となる。また、ズーム変曲点（４）付近で画角変化量が小さい場合、ズーム突入電流時間中の焦点移動の影響を意識しなくてもよい。
【００５２】
また、ズーム変曲点付近で画角変化が大きい場合は、ズーム開始位置を次のように決定した位置としてもよい。即ち、ズーム変曲点（４）に対してズーム駆動方向とは逆方向に、ズームレンズ１０１の突入電流時間にフォーカスレンズ１０４の焦点補正に必要な時間を加えた時間でズームレンズ１０１が駆動する距離より短い距離だけ離れた位置としてもよい。
【００５３】
なお、上記ではズーム開始位置記憶部２０９に露光間ズーム撮影におけるズームレンズ１０１のズーム開始位置が記憶されていると説明したが、ズームレンズ１０１の駆動速度が可変の場合、駆動速度に応じて適宜ズーム開始位置を算出してもよい。
【００５４】
なお、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００５５】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【００５６】
【図１】本発明の実施の形態に係る撮像装置の概略構成を示すブロック図である。
【図２】図１のズーム駆動制御部１０９とフォーカス駆動制御部１１２の詳細な構成を示すブロック図である。
【図３】本発明の実施の形態に係る露光間ズーム撮影処理を示すフローチャートである。
【図４】本発明の実施の形態に係る露光間ズーム撮影処理のタイミング図である。
【図５】本発明の実施の形態に係るＥｘｉｆの鏡筒情報に関するタグの構成を示す図である。
【図６】本発明の実施の形態に係るズームレンズの駆動開始及び駆動終了と、撮像素子の露光開始及び露光終了のタイミングを説明する図である。
【符号の説明】
【００５７】
１０１    ズームレンズ
１０２    シャッタ・絞りユニット
１０３    シフトレンズ
１０４    フォーカスレンズ
１０５    撮像素子
１０６    撮像信号処理部
１０７    画像処理部
１０８    表示部
１０９    ズーム駆動制御部
１１０    シャッタ・絞り駆動制御部
１１１    シフトレンズ駆動制御部
１１２    フォーカス駆動制御部
１１３    システム制御部
１１４    操作部
１１５    外部入出力端子部
１１６    記憶部
１１７    記録部
１１８    電源部
２０１    ズームモータ
２０２    ズームモータ駆動回路
２０３    ズームリセット位置検出部
２０４    エンコーダ
２０５    ズーム位置検出部
２０６    ズーム速度検出部
２０７    ズーム制御部
２０８    露光間ズーム制御部
２０９    ズーム開始位置記憶部
２１０    フォーカスモータ
２１１    フォーカスモータ駆動回路
２１２    フォーカスリセット位置検出部
２１３    フォーカス制御部
２１４    合焦位置検出部
２１５    露光開始時間記憶部
【図１】
2010171894.tif 000003
【図２】
2010171894.tif 000004
【図３】
2010171894.tif 000005
【図４】
2010171894.tif 000006
【図５】
2010171894.tif 000007
【図６】
2010171894.tif 000008